(57)【要約】【課題】  望遠鏡等の集光機能を有する光学部品を備えた光学部品と、レーザを有するプロジェクタ等の光源装置とを、同時に使用できないようにして安全性を高めた光源装置及びその制御方法並びにスクリーン、光学装置及びその検出方法を提案する。【解決手段】  少なくともレーザを有する光源装置１であって、少なくとも集光機能を有する光学部品を備えて成る光学装置１１、１２に設けられた非接触ＩＣタグ２１、２２を検出した場合には、光源装置１のレーザ光出力を低減又は停止させる制御を行う。【選択図】        図１
2005062614.tif 000002
【特許請求の範囲】
【請求項１】
少なくともレーザを有する光源装置であって、
少なくとも集光機能を有する光学部品を備えて成る光学装置に設けられた非接触ＩＣタグを検出した場合には、上記光源装置のレーザ光出力を低減又は停止させる制御が行われる
ことを特徴とする光源装置。
【請求項２】
少なくとも集光機能を有する光学部品を備えて成る光学装置に設けられた非接触ＩＣタグを検出する機能を有すると共に、
上記非接触ＩＣタグを検出した場合に、レーザを有する光源装置のレーザ光出力を低減化又は停止する制御を行う
ことを特徴とする検出制御装置。
【請求項３】
少なくとも集光機能を有する光学部品を備えて成る光学装置に設けられた非接触ＩＣタグを検出した場合に、レーザを有する光源装置のレーザ光出力を低減化又は停止する制御を行う
ことを特徴とする光源装置の制御方法。
【請求項４】
少なくとも上記光源装置からのレーザ光の投影前に、上記光学装置に設けられた非接触ＩＣタグの有無を検出し、上記非接触ＩＣタグを検出した場合には上記光源装置のレーザ光出力を制御する
ことを特徴とする請求項３記載の光源装置の制御方法。
【請求項５】
上記非接触ＩＣタグを検出した場合に上記光源装置のレーザ光出力を制御する検出制御装置を、上記光源装置を配置する会場内に設ける
ことを特徴とする請求項３記載の光源装置の制御方法。
【請求項６】
上記非接触ＩＣタグを検出した場合に上記光源装置のレーザ光出力を制御する検出制御装置を、上記光源装置を配置する会場内に設ける
ことを特徴とする請求項４記載の光源装置の制御方法。
【請求項７】
上記非接触ＩＣタグを検出した場合に上記光源装置のレーザ光出力を制御する検出制御装置を、上記光源装置を配置する会場の少なくとも入り口付近に設ける
ことを特徴とする請求項３記載の光源装置の制御方法。
【請求項８】
上記非接触ＩＣタグを検出した場合に上記光源装置のレーザ光出力を制御する検出制御装置を、上記光源装置を配置する会場の少なくとも入り口付近に設ける
ことを特徴とする請求項４記載の光源装置の制御方法。
【請求項９】
上記非接触ＩＣタグを検出した場合に上記光源装置のレーザ光出力を制御する検出制御装置を、上記光源装置からの光を投影するスクリーンに設ける
ことを特徴とする請求項３記載の光源装置の制御方法。
【請求項１０】
上記非接触ＩＣタグを検出した場合に上記光源装置のレーザ光出力を制御する検出制御装置を、上記光源装置からの光を投影するスクリーンに設ける
ことを特徴とする請求項４記載の光源装置の制御方法。
【請求項１１】
少なくともレーザを有する光源装置からの光を投影するスクリーンであって、
少なくとも集光機能を有する光学部品を備えて成る光学装置に設けられた非接触ＩＣタグを検出した場合に、上記光源装置のレーザ光出力を低減又は停止する制御を行う検出制御装置が設けられて成る
ことを特徴とするスクリーン。
【請求項１２】
少なくとも集光機能を有する光学部品を備え、非接触ＩＣタグが設けられて成る
ことを特徴とする光学装置。
【請求項１３】
少なくとも集光機能を有する光学部品を有する光学装置に備えられた非接触ＩＣタグにより、上記光学装置を検出する
ことを特徴とする光学装置の検出方法。
【発明の詳細な説明】
【技術分野】
【０００１】
本発明は、レーザを光源として有する光源装置を安全に利用することを目的とする光源装置、検出制御装置、光源装置の制御方法並びにスクリーン、光学装置及びその検出方法に関する。
【背景技術】
【０００２】
近年、スクリーンに映像信号等の画像情報を投射する画像投射装置、いわゆるプロジェクタの大型化が進み、より大画面にするためと、明るい場所でも鑑賞できるように、高輝度のランプやレーザ光源が組み込まれている。
【０００３】
レーザを使用した機器ではレーザ光が人の目などに当たると影響を与える恐れがあることから、使用時の安全性を確保する必要がある。このためレーザを使用する機器に対してレーザの出力によって国際規格ＩＥＣ−６０８２５にその使用方法が細かく規定されている。
【０００４】
映像信号等に対応して変調されたレーザ光を、スクリーンに例えば走査して投影するプロジェクタなどの光源装置においては、例えば上記国際規格ＩＥＣ−６０８２５−３において、レーザショウのガイダンスとして観客が立ち入ることができる場所では。投影領域が床面から上方向３ｍ以上、水平方向２．５ｍ以上であることが規定されている。
【０００５】
しかしながら実際にはこのようにレーザ光を観客から充分離して投射できる劇場や、投影室等の会場は少なく、また劇場以外での投射も制限されることになる。
【０００６】
上記国際規格ＩＥＣ−６０８２５−３のガイダンスの規定を遵守し、レーザ光が人体等に照射されることを回避するために、観客がレーザに当たらないようにする方法として、ＡＰＲ（Automatic Power Reduction;自動出力制御）が各種提案されつつある。
例えば投射型テレビジョン受像機の安全装置として、投射光学系からスクリーンへの投射領域への移動体の侵入を検知する検出手段と検出手段からの検出出力に基づいて光源の出力を制御して、光出力を低減あるいは遮断することを特徴とするテレビ受像機が提案されている(例えば特許文献１参照。)。
【０００７】
上述のレーザ安全の国際規格ＩＥＣ−６０８２５には、クラス１（レーザを直接目に入れても安全である）の要件として、望遠鏡等の光学装置、即ち集光機能を有する光学部品を備えた光学装置で覗いても安全であることが規定されている。
レーザプロジェクタ等の光源を、特にこのような望遠鏡などの光学装置により覗くことは、レンズで受ける広い範囲の光が目に集光されて目に影響を及ぼす恐れがあるため、回避する必要がある。
【０００８】
しかしながら、望遠鏡等で覗いても安全であるレベルのレーザ出力は、望遠鏡等の光学装置を考慮しない場合に比べて１／５程度と極端に小さくなるため、このような比較的低い出力ではスクリーン等に投影して良好な映像、画像を得ることは難しい。
【特許文献１】特開平４―１１１５８５号公開公報
【特許文献２】特開２００２−１８３６９０号公開公報
【特許文献３】特開２００２−２９８１０６号公開公報
【発明の開示】
【発明が解決しようとする課題】
【０００９】
本発明は、上述の問題を解決し、望遠鏡等の集光機能を有する光学部品を備えた光学部品と、レーザを有するプロジェクタ等の光源装置とを、同時に使用できないようにして安全性を高めた光源装置及びその制御方法並びにスクリーン、光学装置及びその検出方法を提案する。
【課題を解決するための手段】
【００１０】
上記課題を解決するため、本発明による光源装置は、少なくともレーザを有する光源装置であって、少なくとも集光機能を有する光学部品を備えて成る光学装置に設けられた非接触ＩＣタグを検出した場合には、光源装置のレーザ光出力を低減又は停止させる制御を行う構成とする。
【００１１】
また本発明による検出制御装置は、少なくとも集光機能を有する光学部品を備えて成る光学装置に設けられた非接触ＩＣタグを検出する機能を有すると共に、この非接触ＩＣタグを検出した場合に、レーザを有する光源装置のレーザ光出力を低減化又は停止する制御を行う構成とする。
【００１２】
更に本発明による光源装置の制御方法は、少なくとも集光機能を有する光学部品を備えて成る光学装置に設けられた非接触ＩＣタグを検出した場合に、レーザを有する光源装置のレーザ光出力を低減化又は停止する制御を行う構成とする。
【００１３】
更にまた本発明は、上述の光源装置の制御方法において、少なくとも光源装置からのレーザ光の投影前に、光学装置に設けられた非接触ＩＣタグの有無を検出し、この非接触ＩＣタグを検出した場合には光源装置のレーザ光出力を制御する。
【００１４】
また本発明によるスクリーンは、少なくともレーザを有する光源装置からの光を投影するスクリーンであって、少なくとも集光機能を有する光学部品を備えて成る光学装置に設けられた非接触ＩＣタグを検出した場合に、この光源装置のレーザ光出力を低減又は停止する制御を行う検出制御装置を設ける構成とする。
【００１５】
更に本発明による光学装置は、少なくとも集光機能を有する光学部品を備え、非接触ＩＣタグを設ける構成とする。
また更に本発明による光学装置の検出方法は、少なくとも集光機能を有する光学部品を有する光学装置に備えられた非接触ＩＣタグにより、光学装置を検出する。
【００１６】
上述の各本発明によれば、集光機能を有するレンズ等の光学部品を有する光学装置に非接触ＩＣタグを設けることから、この非接触ＩＣタグを検出した場合、すなわち例えば双眼鏡等の光学装置を所持する視聴者がプロジェクタ等の光源装置の使用会場に入場した場合にこれを検知し、レーザ光の低減又は停止の制御を行うことによって、レーザ使用時にその光源を、光学装置を介して誤って覗くなどの事態を確実に回避することができる。
【００１７】
なお非接触ＩＣタグとは、ＲＦＩＤ（Radio Frequency Identification：無線を用いた自動認識）技術を利用した外部機器と非接触で情報を伝送することが可能な情報伝達手段であり、「ＲＦＩＤタグ」、「無線ＩＣタグ」、「非接触ＩＣラベル」等とも呼ばれている。電磁誘導方式によって伝送するものや、静電結合方式によって伝送するものなどがあり、構造も種々提案されている(例えば特許文献２及び３参照。)。
このような非接触ＩＣタグは、例えば予め光学装置の製造時や販売時に貼付するなどの処置を行うことができる。
【００１８】
また本発明において、このような非接触ＩＣタグを検出する機能を有し、レーザを有する光源装置のレーザ光出力を低減又は停止する制御を行う検出制御装置を設けることにより、例えば光源装置から離間した位置にこの検出制御装置を配置することにより、より確実に安全性を高めることができる。
【００１９】
また本発明の光源装置の制御方法において、少なくとも光源装置からのレーザ光の投影前に、光学装置に設けられた非接触ＩＣタグの有無を検出し、この非接触ＩＣタグを検出した場合に光源装置のレーザ光出力を制御する構成とすることによって、誤って検出制御装置起動前に光源装置を動作させることを回避して、光源の動作時間中に確実に非接触ＩＣタグの検出を行って、安全性を高めることができる。
【００２０】
また本発明によるスクリーンを利用することにより、レーザ光を投影する会場内の視聴者の安全性を高めることができる。
【００２１】
なお、上記国際規格ＩＥＣ−６０８２５には、予見できる範囲で安全であることが求められており、本発明によれば、上述したようにプロジェクタ等の光源装置と他の光学装置とを同時に使用できないようにすることにより、望遠鏡などの光学機器で覗く危険を確実に回避することができて、上記国際規格を遵守した安全性を得ることが可能となる。
【発明の効果】
【００２２】
本発明による光源装置及び検出制御装置によれば、光学装置に設けられた非接触ＩＣタグを検出した場合にレーザ光出力を低減又は停止する制御を行うことにより、レーザ光源を、光学装置を介して覗くことを確実に回避して、安全性を高めることができる。
【００２３】
また本発明による光源装置の制御方法によれば、同様に、光源装置の使用にあたりより安全性を高めることができる。
更に上述の光源装置の制御方法において、レーザ光の投影前に、非接触ＩＣタグの有無を検出することによって、レーザ光を投影する期間中の確実な安全性を確保することができる。
【００２４】
また上述の光源装置の制御方法において、検出制御装置を、光源装置を配置する会場内に設けることにより、会場内の視聴者の所持する光学装置を確実に検出し、安全性を高めることができる。
【００２５】
更に上述の光源装置の制御方法において、検出制御装置を光源装置からのレーザ光を投影するスクリーンに設けることにより、会場内の視聴者の安全性を高めることができる。
【００２６】
また本発明による光学装置及びその検出方法によれば、この光学装置を、レーザ光を有する光源装置を使用する会場等に持ち込むことを確実に回避して、光源装置を使用するにあたって光学部品の所持者の安全性を高めることができる。
【発明を実施するための最良の形態】
【００２７】
以下本発明を実施するための最良の形態の各例を、図面を参照して説明するが、本発明は以下の各例に限定されることなく、本発明構成を逸脱しない範囲で種々の変形、変更が可能であることはいうまでもない。
【００２８】
〔１〕第１の形態
先ず本発明による光源装置及び検出制御装置の一例を図１の概略構成図を参照して詳細に説明する。
【００２９】
レーザスキャンプロジェクタ等の光源装置１は、例えばＲＧＢ（赤、青及び緑）のレーザ光をスキャンすることによってスクリーン（図示せず）上に例えば映像を投射する。
【００３０】
ここで、例えば光源装置１に電源を入れると、投射光を出射することを禁じるモードになっているとする。次に、投射光を出射する前に、望遠鏡等の集光機能を有する光学装置１１、１２を検出制御手段２により、例えば実線ｓで示すように検出用電波を出射し、非接触ＩＣタグ２１、２２からの検出信号をチェックする。
【００３１】
光学装置１１、１２に設けられた非接触ＩＣタグ２１、２２は、検出制御手段１２からの検出用の電波信号を受信すると、そのアンテナによって発電された電力によって、電源なしで検出制御手段２からの電波に応答して自分の認識信号を応答し、発信する。図１において矢印ｄはこの応答信号を検出する様子を模式的に示すものである。
【００３２】
非接触ＩＣタグ１３の認識番号により、望遠鏡検出器１２はさまざまな非接触ＩＣタグからの応答信号のなかから望遠鏡の認識番号を持った電波の応答信号を識別することができる。
従って、この認識信号を検出制御手段２により検出した場合には、同じ室内に望遠鏡等の光学装置があると認識してレーザ投射光を出射すると安全性が損なわれると判断し、光源装置１のレーザ光出力を低減又は停止する制御を行うことによって、光学装置１１、１２と光源装置１との同時使用を確実に回避して、安全性を確保することができる。
【００３３】
なお、検出制御装置２は、光源装置１に近接されて配置されていてもよく、例えば図２に示すように、光源装置１から離間した位置に配置されてもよい。図２においては、レーザプロジェクタ等の光源装置１からスクリーン３０の投影領域３１に映像信号等が投影されている状態を示し、例えば視聴者の一人が光学装置１１を使用したような場合に、検出制御装置２によりこの光学装置１１をその非接触ＩＣタグ２１によって確実に検出することができる。
【００３４】
なお、この検出制御装置２は、光源装置１と一体に構成されていてもよい。
【００３５】
また、光学装置１１等を検出した時点で、投射光を出すことを禁止する制御を行うこともできる。光学装置１１等の検出が持続する場合は、この禁止モードを解除することができないようにして、光学装置１１等の会場外への搬出確認後に投影を再開するなどの制御を行うこともできる。
【００３６】
このような制御方法の処理過程の流れの一例を、図３のフローチャートを参照して説明する。
先ず、光源装置１の動作開始前、または少なくともレーザ光投射前に、検出制御装置２の動作を開始して、非接触ＩＣタグの検出を開始する。
【００３７】
検出制御装置２が非接触ＩＣタグ２１、２２を検出しなかった場合、検出制御装置２は検出信号を出力しないか、または非検出信号を出力する。この場合は、光源装置１による投影を実施する制御を行う。例えば光源装置１に対し投射光を出力できるモードに切り替える制御を行い、通常の投射可能な状態に移行して、投影を実施する。
【００３８】
この機能は通常の使用状態も動作しており、投影実施中は、投影終了以外は検出を続行する。すなわち、上映中に望遠鏡等を持った人が部屋に入ってきた場合などに、検出制御装置２はこれを検出して、検出制御信号を光源装置１に送り、レーザ光出力を低減また停止などの制御を行う。これにより、上映中であっても光学装置を検出したときは、レーザ光出力は望遠鏡で覗いても安全なレベルまで低減されるか、または完全に停止され、投射ができないモードすなわち投影終了へと移行する。
【００３９】
このように、光学装置が光源装置を使用する会場内に持ち込まれた場合にこれを確実に検出し、レーザ光出力の低減ないしは停止の制御を行うことによって、視聴者が会場内に光学装置を持ち来たし、例えば子供などが誤ってこれを取り出して使用するような場合も確実に検出し、レーザ光源を覗くことを回避して安全性を確保することができる。
【００４０】
上述したように、上記国際規格ＩＥＣ−６０８２５では、予見できる範囲で安全であることが求められており、本発明によれば、プロジェクタ等の光源装置と他の光学装置とを同時に使用できないようにすることができ、望遠鏡などの光学機器で覗く危険を確実に回避することができて、上記国際規格を遵守した安全性を得ることが可能となる。
【００４１】
〔２〕第２の形態
次に、本発明による光源装置の制御方法を利用して、光源装置を配置する会場の少なくとも入り口付近に、非接触ＩＣタグを検出する機能を有し、光源装置のレーザ光出力を制御する検出制御装置２を配置する場合の一例を、図４を参照して説明する。この例においては、検出制御装置２に接続されたＩＣタグセンサ２Ａ及び２Ｂを、投影会場の入り口３２の両側に設ける。非接触ＩＣタグ２１の送受信距離が１ｍ以下の場合には、遠い距離まで認識信号用電波を飛ばすことができないので、入り口３２を通過するときに、望遠鏡等の光学装置１１を検出することができる。なお、入り口３２が出口を兼用していても構わない。
【００４２】
入り口３２のＩＣタグセンサ２Ａ及び２Ｂは、例えばプロジェクタ等の光源装置１が動作していない場合にも作動させ、入り口３２を上映中常にチェックするように制御することも可能である。また光源装置１を起動させると、検出制御装置２からの信号を取り込んで、過去に入り口３２を光学装置１１が通過していないことを確認してから、投射光を出力できるモードへ移行することもできる。
【００４３】
また光学装置１１などを検出した場合には、会場３３内にある光学装置１１を撤去した後に危険が無いことを確認して、検出制御装置２の検出信号をリセットする構成とすることもできる。このように検出制御装置２をリセットして検出信号を「非検出」に移行してから、光源装置１を通常の投射可能なモードへ移行することにより、更に安全性を高めることが可能となる。
【００４４】
このように、光源装置１を使用する会場３３の少なくとも入り口３１付近に検出制御装置２を設けることにより、確実に光学装置の会場３３内への持込を防止し、安全性を確保することができると共に、更に上述したように光学装置２１の持込の履歴を検出制御装置２によって検知して制御することにより、更に安全性を高めた光源装置とその制御方法を提供することができる。
【００４５】
〔３〕第３の形態
この例においては、スクリーン３０に検出制御装置２を設ける構成を示す。図５において図２と対応する部分には同一符号を付して重複説明を省略する。
このように、スクリーン３０に検出制御装置２を設けることにより、スクリーン３０を使用する場合に必ずこの検出制御装置２の動作を確認することができ、また会場内の光学装置の検出を確実に行うことができ、安全性を確保することができる。
【００４６】
上述したように、本発明によれば、光学装置を介してレーザ光源を覗くことを確実に回避することができるので、上述した国際規格において求められる安全規格を遵守した安全性に優れた光源装置を提供することができる。したがって、プロジェクタ等においてより優れた映像を提供するためにレーザ光出力を高出力化することも可能となり、視認性に優れた良好な映像、画像を投影可能であり、且つより安全な光源装置を提供することができる。
【図面の簡単な説明】
【００４７】
【図１】本発明による光源装置の一例の概略構成図である。
【図２】本発明による光源装置の一例の概略構成図である。
【図３】本発明による光源装置の制御方法の一例を説明するフローチャートである。
【図４】本発明による光源装置の一例の概略構成図である。
【図５】本発明によるスクリーンの一例の概略構成図である。
【符号の説明】
【００４８】
１    光源装置
２    検出制御装置
２Ａ  ＩＣタグセンサ
２Ｂ  ＩＣタグセンサ
１１  光学装置
１２  光学装置
２１  非接触ＩＣタグ
２２  非接触ＩＣタグ
３０  スクリーン
３１  投影領域
３２  入り口
３３  会場
【図１】
2005062614.tif 000003
【図２】
2005062614.tif 000004
【図３】
2005062614.tif 000005
【図４】
2005062614.tif 000006
【図５】
2005062614.tif 000007